Podtech/llm-jp-corpus-v4-ja_patent huggingface dataset:
(57)【要約】      （修正有）【課題】一人で３９通りのマッサージができるボール体状のマッサージ用具を提供する。【解決手段】ハンドボールぐらいのボール体の全面に滑りにくい性質のゴム材を設け、表面の任意の１ヶ所に空気入れの穴を設けて、ボールの硬さを調整でき、ボール体の外面を覆うゴム材全面に亘って小突起片２を設けてあることを特徴とする。【選択図】図２
0003210537.tif 000002
【実用新案登録請求の範囲】
【請求項１】
ハンドボールぐらいのボール体の全面に滑りにくい性質のゴム材を設け、表面の任意の１ヶ所に空気入れの穴を設けて、ボールの硬さを調整ができ，
ボール体の外面を覆うゴム材全面に亘って小突起片を設けてあることを特徴とするサンキュー３９ボール。。
【考案の詳細な説明】
【技術分野】
【０００１】  本考案は小さいボール体状のマッサージ用具に関するものである
【背景技術】
【０００２】  従来ボールを大きくして上で横になってバランスを取る運動具があった。
【考案の概要】
【考案が解決しようとする課題】
【０００３】  そのために次のような問題点があった。
（イ）  大きいボールに空気を入れるのは大変だった。
（ロ）  ボールが大きいからかなりの場所を取る。
（ハ）  材質がビニール製が多く滑りやすいしバランスを取りにくい。
【課題を解決するための手段】
【０００４】  ハンドボールぐらいのボール体の全面に滑りにくい性質のゴム材を設け、表面の任意の１ヶ所に空気入れの穴を設けて、ボールの硬さを調整ができる。
ボール体の外面を覆うゴム材全面に亘って小突起片を設けてある。
以上を特徴とするサンキュー３９ボールである。
【考案の効果】
【０００５】  ボールの上に横になったり座ったりして自分の体重を乗せて、一人で出来ない体のすみずみをマサージすることができ、ダイエット効果が大きい。
【図面の簡単な説明】
【０００６】
【図１】  本考案の正面図。
【図２】  本考案の背面図。
【考案を実施するための形態】
【０００７】以下、本考案の形態について説明する。
（イ）  ボール体の表面の任意の１ヶ所に空気入れの穴を設けてある。
（ロ）  ボール体の表面の全面に滑りにくい性質のゴムを設けてある。
（ハ）  マッサージ効果を高めるために表面全体を覆うゴム材にたくさんの小突起片を設けてある。
（ニ）  硬さを体の調子にあわせて空気を入れる。
本考案は以上のような構成である。
本考案を使用するときは、ボールの上に背中を乗せて、仰向けになって、両手を上で伸ばして、約２０秒間全身をリラックスさせる。
また、、ボールの上に仰向けかうつ伏せで横になって体を動かして運動する。
以下、本考案の運動の手順を説明する。
（１）背中の中央（肩甲骨の下）にボールをあて、足を伸ばす。（２０秒）
（２）少し上（肩甲骨の間）にずらし、首の力を脱力する。（１分）
（３）後頚部及び肩の付け根にボールをあてる。（１分）
（４）膝を立て、頭を両手で支え、腰を上げて体を水平にし、背骨に沿って上下に。（１分）
（５）体を少し斜めにして、右側の肩甲骨および周辺をボールでマッサージする。（１分）
（６）脇の下のリンパを刺激。（３０秒）左側も同様にする（５，６）
（７）胸の真ん中から、一の字や胸周りを円を描くように。（３０秒）
（８）臍の位置にボールを置き、全身を脱力する。（１分）
（９）臍周囲を、みぞおち（１２時）から反時計回りにまわる。（２０秒／カ所）
（１０）いったん臍に戻ってから、気になるところを再度刺激する。
（１１）最後にぐるりと反時計回りにまわす。
（１２）恥骨にボールをあて、両足を上に上げる。（１０秒）
（１３）鼠径部（そけいぶ）のリンパにあて上下にマッサージする。その時逆足は曲げる。（２０秒）
（１４）そのままふどもも部をマッサージする。（左右２０秒）
（１５）少し膝を立ってて膝の下前脛骨部をマッサージする。（左右２０秒）
（１６）体を上向きにし、ボールを腰のした。全身を伸ばして脱力。（１分）
（１７）膝を立てて、左右に。（２０秒）
（１８）真横になって、腸骨と股関節の間にボールを乗せてマッサージする。（左右２０秒）
（１９）ボールを仙骨の下（尾てい骨の上）にあて両足を抱える。
（２０）左足を右足にかける。（１０秒）次に頭を上げ、左足先を近つける。（１０秒）
（２１）左足を伸ばす。（２０秒）右側も同じ様にする（２０，２１）
（２２）足裏を合わせて、頭を持ち上げる。（２０秒）
（２３）両足を左右に大きく開く。（２０秒）
（２４）ボールに殿部の左ほっぺ部を乗せ両足を揃えて曲げる。（５秒）そのまま両足を伸ばす。（５秒）これをもう１度繰り返す。右側も同様ににする。
（２５）左足を深く折曲げ足首を手で掴む。、右足を左足にかける。（左右  ２０秒）
（２６）左右の足を深く折曲げ足首を手で掴み、つま先立で体を持ち上げる。（２０秒）
（２７）両足を振って体を起こし、ボールにまっすぐにのる。尻の下部を刺激する左足を深く折曲げ足首を手で掴み、つま先立で体を持ち上げる。（２０秒）
（２８）両足を開き前屈する左足を深く折曲げ足首を手で掴み、つま先立で体を持ち上げる。（２０秒）
（２９）左足を外側に゛く゛の字に曲げ、伸ばした右足の方向に前屈する。（左右  ２０秒）
（３０）坐骨および坐骨周りをボールでマッサージする（左右  ２０秒）。
（３１）太ももをボールでマッサージする。（２０秒）
（３２）膝の裏側をマッサージする。（２０秒）
（３３）ふくらはぎをマッサージする。（２０秒）
（３４）床に足の裏を合わせて座り、足の内側をボールで叩く。（左右３２回）
（３５）足の外側を叩く。（左右３２回）
（３６）腕の内側を叩く。（左右３２回）
（３７）腕の外側＋肩を叩く。（左右３２回）
（３８）脇の下を叩く。（左右３２回）
（３９）胸と腹を叩く。（左右３２回）
この様にして、一人ではできない身体の隅々まで念入りにマッサージを施すことができ、ダイエット効果も非常に大きい。
【符号の説明】
【０００８】  １  空気入れ穴
２  小突起片
【図１】
0003210537.tif 000003
【図２】
0003210537.tif 000004
【手続補正書】
【提出日】平成29年3月7日(2017.3.7)
【手続補正１】
【補正対象書類名】実用新案登録請求の範囲
【補正対象項目名】全文
【補正方法】変更
【補正の内容】
【実用新案登録請求の範囲】
【請求項１】
ハンドボールぐらいのボール体の全面に滑りにくい性質のゴム材を設け、表面の任意の１ヶ所に空気入れの穴を設けて、ボールの硬さを調整ができ、ボール体の外面を覆うゴム材全面に亘って小突起片を設けてあることを特徴とするボール体状のマッサージ用具。
(57)【要約】【課題】寝返りを打ちやすく、クッション性にも優れ、寝心地が快適な枕を提供する。【解決手段】複数の細長材２を有する。各細長材２は、弾力性を有する低密度ポリエチレンフォーム製の円筒に縦断する切れ目を形成して成る。各細長材２は、両端側が弾性紐で縛られて切れ目をずらして丸めた状態で保持される。各細長材２は、並列にそれぞれ隣接して配置され、隣り合う細長材２とそれぞれ両端側で弾性紐により連結されて環状をなすとともに層状をなしている。【選択図】図１
0003210529.tif 000002
【実用新案登録請求の範囲】
【請求項１】
複数の細長材を有し、
各細長材は弾力性を有する細長い板材を丸めた状態で保持して成り、
各細長材は並列にそれぞれ隣接して配置されて層状をなすよう連結されていることを、
特徴とする枕。
【請求項２】
各細長材は、低密度ポリエチレンフォーム製の円筒に縦断する切れ目を形成して成り、両端側が弾性紐で縛られて前記切れ目をずらして丸めた状態で保持されるとともに、並列に配置されて隣り合う前記細長材とそれぞれ両端側で前記弾性紐により連結されて環状をなしていることを、特徴とする請求項１記載の枕。
【考案の詳細な説明】
【技術分野】
【０００１】
本考案は、枕に関する。
【背景技術】
【０００２】
従来、低密度ポリエチレン製の粒状成形体を充填材とする枕が知られている（例えば、特許文献１参照）。
【先行技術文献】
【特許文献】
【０００３】
【特許文献１】特開平９−２３９６１号公報
【考案の概要】
【考案が解決しようとする課題】
【０００４】
しかしながら、特許文献１の枕は、頭を乗せた箇所にある充填材が脇に押されて頭の下の充填材が薄くなるため、頭が落ち込み、寝返りを打ちにくいという課題があった。また、頭の下の充填材が減るため、使用中にクッション性が落ち、寝心地が悪いという課題があった。
【０００５】
本考案は、このような課題に着目してなされたもので、寝返りを打ちやすく、クッション性にも優れ、寝心地が快適な枕を提供することを目的とする。
【課題を解決するための手段】
【０００６】
上記目的を達成するために、本考案に係る枕は、複数の細長材を有し、各細長材は弾力性を有する細長い板材を丸めた状態で保持して成り、各細長材は並列にそれぞれ隣接して配置されて層状をなすよう連結されていることを、特徴とする。
本考案に係る枕は、複数の細長材が並列にそれぞれ隣接して連結されているため、頭部から頚部の湾曲に沿って変形しやすく、快適な睡眠をとることができる。また、充填材を詰めた枕と異なり、頭の下の充填材が脇に押されて薄くなるようなことがなく、細長材に沿って寝返りを打ちやすい。また、各細長材の間に隙間が生じず、各細長材の間に頭が落ち込むことがないので、さらに寝返りしやすい。複数の細長材は丸めた状態で保持されるため、各細長材が反発力を持ち、クッション性にも優れ、寝心地が快適である。
【０００７】
本考案に係る枕で、各細長材は、低密度ポリエチレンフォーム製の円筒に縦断する切れ目を形成して成り、両端側が弾性紐で縛られて前記切れ目をずらして丸めた状態で保持されるとともに、並列に配置されて隣り合う前記細長材とそれぞれ両端側で前記弾性紐により連結されて環状をなしていることが好ましい。
この場合、クッション性がさらに良好で、寝返りを打ちやすい。また、型崩れしにくく、長期間、使用し続けることができる。各細長材は、低密度ポリエチレンフォームから成るため、軽量であり、また、ダニが発生しにくく、衛生的に使用することができる。
なお、複数の細長材は、１０本〜２０本から成ることが好ましい。弾性紐は、天然ゴム製の紐や合成ゴム製の紐のほか、シリコン樹脂などの弾性合成樹脂製の紐から成ってもよい。
【考案の効果】
【０００８】
本考案によれば、寝返りを打ちやすく、クッション性にも優れ、寝心地が快適な枕を提供することができる。
【図面の簡単な説明】
【０００９】
【図１】本考案の実施の形態の枕の使用状態を示す斜視図である。
【図２】図１に示す枕の平面図である。
【図３】図１に示す枕の細長材の側面図である。
【考案を実施するための形態】
【００１０】
以下、図面に基づき本考案の実施の形態について説明する。
図１〜図３は、本考案の実施の形態を示している。
図１〜図３に示すように、本考案の実施の形態の枕１は、複数、例えば１２本〜１６本（本実施の形態では１３本）の細長材２を有している。各細長材２は、弾力性を有する低密度ポリエチレンフォーム製の円筒に縦断する切れ目２ａを形成して成る。円筒の寸法は、肉厚が５ミリ〜１５ミリ、外径ａが３５ミリ〜４５ミリ、内径ｂが１５ミリ〜２５ミリ、長さが４５０ミリ〜５５０ミリ程度が好ましい。
【００１１】
各細長材２は、両端側３が弾性紐４で縛られて、図３に示すように、切れ目２ａをずらして丸めた状態で保持される。弾性紐４は、天然ゴム製のゴム紐から成る。弾性紐４の寸法は、幅１３ミリ〜１８ミリ、長さ１９００ミリ〜２１００ミリ、厚さ０．１〜０．３ミリ程度が好ましい。各細長材２は、並列にそれぞれ隣接して配置され、隣り合う細長材２とそれぞれ両端側３で弾性紐４により連結されて、環状をなすとともに２層の層状をなしている。各細長材２が弾性紐４により縛られる位置は、両端から４ｃｍ〜８ｃｍ程度の位置が好ましい。枕１は、長さｃが４５０ミリ〜５５０ミリ、弾性紐４の間の長さｄが３５０ミリ〜４５０ミリ、幅ｅが３８０ミリ〜４２０ミリ程度が好ましい。各細長材２は、全体が袋状の枕カバーに収納されている。
【００１２】
次に、作用について説明する。
本考案に係る枕１は、複数の細長材２が並列にそれぞれ隣接して連結されているため、頭部の重みで頭部から頚部の湾曲に沿って緩やかに変形しやすく、快適な睡眠をとることができる。また、充填材を詰めた枕１と異なり、頭の下の充填材が脇に押されて薄くなるようなことがなく、細長材２に沿って寝返りを打ちやすい。また、各細長材２の間に隙間が生じず、各細長材２の間に頭が落ち込むことがないので、さらに寝返りしやすい。
【００１３】
複数の細長材２は丸めた状態で保持されるため、各細長材２が反発力を持ち、クッション性にも優れ、寝心地が快適である。特に、各細長材２は低密度ポリエチレンフォーム製の円筒に縦断する切れ目を形成して成り、両端側３が弾性紐４で縛られて切れ目２ａをずらして丸めた状態で保持されるので、クッション性がさらに良好で、寝返りを打ちやすい。各細長材２は隣り合う細長材２と弾性紐４により連結されているので、型崩れしにくく、長期間、使用し続けることができる。各細長材２は、低密度ポリエチレンフォームから成るため、軽量であり、また、ダニが発生しにくく、衛生的に使用することができる。
【符号の説明】
【００１４】
１  枕
２  細長材
３  両端側
４  弾性紐
【図１】
0003210529.tif 000003
【図２】
0003210529.tif 000004
【図３】
0003210529.tif 000005
(57)【要約】      （修正有）【課題】包丁の刃先を部分的に無くした包丁で肉筋を上から押し切る事により肉筋の部分筋切り、筋切り調整、やわらかく、食べやすくする筋切り包丁を提供する。【解決手段】本考案は包丁本体１の刃先を部分的３の様に無くす事により肉筋を部分的に筋切りができ、外観を崩さずやわらかく食べやすくし、且つ、筋切りの回数を変える事により、よりいっそうの食感変化が味わえる。【選択図】図１
0003210595.tif 000002
【実用新案登録請求の範囲】
【請求項１】
包丁の刃先を部分的に無くした包丁で、上から押し切る事で肉筋を部分筋切りができ、外観を崩さず、やわらかく、且つ、食べやすくすることができ、他食材の器具利用ができるとしたところを特徴とする筋切り包丁。
【考案の詳細な説明】
【技術分野】
【０００１】  本考案は、包丁の刃先を部分的に無くした包丁に関するものである。
【背景技術】
【０００２】  食肉の筋切りとしてローラー式・ハンマー式等の調理器具、道具を用いて肉筋切りをしていた。
【考案の概要】
【考案が解決しようとする課題】
【０００３】  従来、食肉の肉筋切り調理器具は、部分調理加工、筋切り調整、他食材の器具利用が困難である。従って、包丁の刃先を部分的に無くし、上から押し切ることにより前述の欠点を解決しようとするものである。
【課題を解決するための手段】
【０００４】  本考案の包丁は刃先を部分的に無くし、包丁を上から押切る事により、肉筋を部分筋切り、筋切り調整、且つ、他食材の器具利用ができ問題を解決している。
【考案の効果】
【０００５】  上述の様に、本考案の包丁刃先部を部分的に無した包丁を使用する事で、肉筋切り部分調理加工、肉筋切り調理、且つ、やわらかさの食感も調整でき調理器具として考案の効果を得られ、他食材への利用も可能であり調理器具として役立つ。
【図面の簡単な説明】
【０００６】
【図１】考案した包丁刃先部分無し部と刃先有り部を示す正面図である。
【図２】本考案の包丁本体と刃先部分無し部と有り部を一実施例を示す正面図である。
【特号の説明】
【０００７】１    包丁本体
２    刃先あり部
３    刃先無し部
４    肉筋部
５    食肉本体
【図１】
0003210595.tif 000003
【図２】
0003210595.tif 000004
(57)【要約】      （修正有）【課題】薄地のプラスチックシートを用いて容易に組み立てられ、かつ十分な強度を持つ衣服型ペンスタンドを提供する。【解決手段】薄地のプラスチックシートをトムソン型を使用して打ち抜き加工した複数の部品からなり、複数箇所の対になる差し込みと切り込みを作製し、接着道具なしで衣服型のペンスタンドに組み立てる。【選択図】図２
0003210596.tif 000002
【実用新案登録請求の範囲】
【請求項１】
薄地のフィルムシート材料にトムソン型を使用して打ち抜いた複数の部品が配置され、前記部品が有するフック構造を持った差し込みと、前記部品が有する前記差し込みと対になる切込みとを組み合わせる事で作製される衣服型組立ペンスタンド。
【請求項２】
請求項１に記載の衣服型組立ペンスタンドはトムソン型を使用して打ち抜いた複数の部品中に一対の衣服型の部品を持ち、前記部品が有する差し込みと、前記部品が有する前記差し込みと対になる切込みとを組み合わせる事で衣服型の箱型構造を構成する事を特徴とする衣服型組立ペンスタンド。
【請求項３】
前記のフィルムシート材料に対する印刷は、インクジェット印刷ならびにオフセット印刷を用いてスポーツチームのユニフォームや法人の制服、学校法人の制服を印刷した請求項１に記載の衣服型組立ペンスタンド。
【考案の詳細な説明】
【考案の詳細な説明】
【技術分野】
【０００１】本考案は主として、フイルムシート材料に対して施され、多目的に使用できる利便性の高いノベルティー商品に関するものである。
【背景技術】
【０００２】  従来の紙やプラスチックシートで作製していた組立式ペンスタンドは、組み立てるときに固定用の糊やテープ、シートからパーツを分離する為のはさみやカッター等の道具が必要だった。
【考案が解決しようとする課題】
【０００３】  Ａ４サイズのプラスチックシートに部品を構成することで強度が大きく、収納の利便性も高くなり、輸送コストを抑えることができる。更に、オフセット印刷やインクジェットプリンターを用いてスポーツチームのユニフォーム、法人の制服、学校法人の制服を印刷することでノベルティーグッズとしての価値を高めることができる。
【課題を解決するための手段】
【０００４】  トムソンで打ち抜いた各部分の接合部分の構造を組み立てやすく、かつ外れにくくするためにフック部に切り込みを入れ、かつフィルムシートの柔軟な収縮性を利用し、接合部を噛み合わせる事で強固な構造を作り出す事ができる。
【考案を実施するための形態】
【０００５】  図１は本考案の衣服型組立ペンスタンド（１）の平面図である。衣服型組立ペンスタンド（１）はフィルムシートよりなり、トムソン加工によって打ち抜かれた複数の物品が備えられている。
衣服型組立ペンスタンド（１）には、フック構造を持った差し込み（ｔ１）（ｔ２）（ｔ３）（ｔ４）（ｔ５）（ｔ６）（ｔ７）（ｔ８）（ｔ９）（ｔ１０）（ｔ１１）（ｔ１２）（ｔ１３）（ｔ１４）（ｔ１５）と、これと対になる切込み（ｓ１）（ｓ２）（ｓ３）（ｓ４）（ｓ５）（ｓ６）（ｓ７）（ｓ８）（ｓ９）（ｓ１０）（ｓ１１）（ｓ１２）（ｓ１３）（ｓ１４）（ｓ１５）、をもった複数の物品、また、該物品の内部を仕切るパーティション（Ｐ）、衣服の袖を模した固定用の部品（ｋ１）（ｋ２）が大部分をトムソンで打ち抜かれ部分的にシートに固定された状態で備わっている。
【０００６】  図２は本考案の衣服型組立ペンスタンド（１）を組み立てている途中の視図である。このときフック構造を持った差し込み（ｔ１）（ｔ２）（ｔ３）（ｔ４）（ｔ５）（ｔ６）（ｔ７）（ｔ８）（ｔ９）（ｔ１０）（ｔ１１）（ｔ１２）（ｔ１３）（ｔ１４）（ｔ１５）と、これと対になる切込み（ｓ１）（ｓ２）（ｓ３）（ｓ４）（ｓ５）（ｓ６）（ｓ７）（ｓ８）（ｓ９）（ｓ１０）（ｓ１１）（ｓ１２）（ｓ１３）（ｓ１４）（ｓ１５）は互いに組み合わさり、衣服を模した形状の構造体をなしている。そして、この構造体に内部の仕切り（Ｐ）と補強用の固定部材（ｋ１）（ｋ２）を組み合わせる事で衣服型組立ペンスタンドが完成する。
【０００７】  図３は本考案の衣服型組立ペンスタンド（１）の完成体である（２）に内部の仕切りである（Ｐ）を組み込んだものに、ボールペン（Ｂ）や鉛筆（Ｅ）を差し込みペンスタンドして使用している場合の視図である。
【図面の簡単な説明】
【０００８】
【図１】本考案の衣服型組立ペンスタンドの平面図
【図２】図１の衣服型組立ペンスタンドを組み立てた場合の視図
【図３】図２の衣服型組立ペンスタンドに筆記用具をいれた場合の斜視図
【０００９】１    衣服型組立ペンスタンドシート
２    ペンスタンド本体
Ｂ    ボールペン
Ｅ    鉛筆
ｋ１  肩部１
ｋ２  肩部２
ｓ１  切込み１
ｓ２  切込み２
ｓ３  切込み３
ｓ４  切込み４
ｓ５  切込み５
ｓ６  切込み６
ｓ７  切込み７
ｓ８  切込み８
ｓ９  切込み９
ｓ１０  切込み１０
ｓ１１  切込み１１
ｓ１２  切込み１２
ｓ１３  切込み１３
ｓ１４  切込み１４
ｓ１５  切込み１５
ｔ１  差し込み１
ｔ２  差し込み２
ｔ３  差し込み３
ｔ４  差し込み４
ｔ５  差し込み５
ｔ６  差し込み６
ｔ７  差し込み７
ｔ８  差し込み８
ｔ９  差し込み９
ｔ１０  差し込み１０
ｔ１１  差し込み１１
ｔ１２  差し込み１２
ｔ１３  差し込み１３
ｔ１４  差し込み１４
ｔ１５  差し込み１５
Ｐ    パーティション
【図１】
0003210596.tif 000003
【図２】
0003210596.tif 000004
【図３】
0003210596.tif 000005
(57)【要約】      （修正有）【課題】石油ストーブ等を安全に使用できるようにする輻射熱遮断用シートを提供する。【解決手段】シートは、面状の耐熱フェルト３にアルミガラスクロス５が貼り付けられて構成され、石油ストーブ１０を囲うようにアルミガラスクロス５側が石油ストーブ側に向けて配置使用される。【選択図】図３
0003210592.tif 000002
【実用新案登録請求の範囲】
【請求項１】
面状の耐熱フェルトにアルミガラスクロスが貼り付けられて構成され、前記アルミガラスクロス側が輻射熱源側に向けて配置使用されることを特徴とする輻射熱遮断用シート。
【請求項２】
面状の耐熱フェルトにアルミガラスクロスが貼り付けられて構成され、石油ストーブを囲うように前記アルミガラスクロス側が前記石油ストーブ側に向けて配置使用されることを特徴とする石油ストーブの輻射熱遮断用シート。
【請求項３】
前記石油ストーブの周囲柵体の外周面に取り付け使用される請求項２記載の石油ストーブの輻射熱遮断用シート。
【考案の詳細な説明】
【技術分野】
【０００１】  この考案は、石油ストーブ等の輻射熱の遮断構成に関する。
【背景技術】
【０００２】  各種事業所においては大型の石油ストーブが汎く使用されている。石油ストーブは加熱効率に優れる反面、周囲に強い輻射熱を発し、この輻射熱が継続して物品に当たると発火して火災の原因となり、また、人に当たると火傷の原因となる。
【考案の概要】
【考案が解決しようとする課題】
【０００３】  この考案は上記の事情に鑑みて行ったもので、輻射熱を遮断することで石油ストーブ等を安全に使用できるようにすることを目的とする。
【課題を解決するための手段】
【０００４】  この考案では、面状の耐熱フェルトにアルミガラスクロスが貼り付けられて構成され、アルミガラスクロス側が輻射熱源側に向けて配置使用されることを特徴とする輻射熱遮断用シートを提供する。【０００５】  上記構成の輻射熱遮断用シートが配置使用されることで、輻射熱源からの輻射熱が遮断されて輻射熱源周囲の温度が輻射熱により極めて高くなることが防止される。輻射熱遮断用シートは輻射熱源に相対する内面側がアルミガラスクロスよりなるので熱損傷の恐れがないとともに、外面側が耐熱フェルトよりなることである程度の温度上昇があっても、接触時にそれほど熱くなることはない。輻射熱遮断用シートは各種の暖房機器や加熱機器等の適宜の輻射熱源に対して用いられる。【０００６】  さらにこの考案では、面状の耐熱フェルトにアルミガラスクロスが貼り付けられて構成され、石油ストーブを囲うようにアルミガラスクロス側が石油ストーブ側に向けて配置使用されることを特徴とする石油ストーブの輻射熱遮断用シートを提供する。【０００７】  上記構成の輻射熱遮断用シートが配置使用されることで、石油ストーブからの輻射熱が遮断され、石油ストーブ周囲の温度が輻射熱により極めて高くなることが防止される。輻射熱遮断用シートは石油ストーブに相対する内面側がアルミガラスクロスよりなるので熱損傷の恐れがないとともに、外面側が耐熱フェルトよりなることである程度の温度上昇があっても、接触時にそれほど熱くなることはない。【０００８】  上記輻射熱遮断用シートは、石油ストーブの周囲柵体の外周面に取り付け使用される構成とされることで、その取り付け配置が容易に行われる。
【考案の効果】
【０００９】  この考案の輻射熱遮断用シートを用いることで、石油ストーブ等から発せられる輻射熱を遮断できるようになり、火災や火傷の恐れが無い状態において石油ストーブ等の使用が安全に行えるようになる。
【図面の簡単な説明】
【００１０】
【図１】この考案の石油ストーブの輻射熱遮断用シートの外観斜視図
【図２】この考案の石油ストーブの輻射熱遮断用シートの断面図
【図３】この考案の石油ストーブの輻射熱遮断用シートの使用状態図
【考案の好ましい実施形態】
【００１１】    図１はこの考案の石油ストーブの輻射熱遮断用シートの外観斜視図、図２は同断面図であり、輻射熱遮断用シート１は帯状の耐熱フェルト３に帯状のアルミガラスクロス５が貼り付けられて構成され、その長さを６メートル、幅を８０ｃｍとし、０．７ｍｍの厚さを有する。アルミガラスクロス５はアルミシート４面にガラスクロス６が接着固定されており、そのガラスクロス６面が耐熱フェルト３に張り付けられている。耐熱フェルト３の両端部には互いに接合される面状ファスナーの雄部７ａ、雌部７ｂが取り付けられている。
【００１２】  以下、輻射熱遮断用シート１の使用について説明する。輻射熱遮断用シート１は、図３に示すように、石油ストーブ１０の周囲を囲むように用いられる。１２は鉄製の周囲枠体で、その周面にアルミガラスクロス５側が当接され巻き付けられるようにして取り付けられ、面状ファスナーの雄部７ａ、雌部７ｂが接合されて固定されている。
【００１３】  上記のように輻射熱遮断用シート１が石油ストーブ１０の周囲に配置されることで、石油ストーブ１０から発せられる輻射熱がアルミガラスクロス５のアルミシート４面で反射され、かつ、輻射熱遮断用シート１により遮断され、周囲部へ強い輻射熱が至ることが防がれる。
【００１４】  実験によれば、輻射熱遮断用シート１が石油ストーブ１０から１５ｃｍ離れて配置されている状態において、石油ストーブ１０が使用され石油ストーブ１０の外面近傍温度が１２０℃であった場合、輻射熱遮断用シート１の外面近傍温度は３５℃であり、十分な遮熱機能が確認された。これにより、石油ストーブ１０が継続使用されても、その周囲における火災や火傷の発生が確実に防止される。
【００１５】  使用に際して輻射熱遮断用シート１は、石油ストーブ１０に相対する内面側がアルミガラスクロス５よりなるので熱損傷の恐れがないとともに、外面側が耐熱フェルト３よりなることである程度の温度上昇があってもそれほど高温となることがなく、接触により火傷を負うことは＋ない。
【符号の説明】
【００１６】１    輻射熱遮断用シート
３    耐熱フェルト
５    アルミガラスクロス
１０  石油ストーブ（輻射熱源）
１２  周囲枠体
【図１】
0003210592.tif 000003
【図２】
0003210592.tif 000004
【図３】
0003210592.tif 000005
(57)【要約】      （修正有）【課題】ノギス測定力の合理的な指導が効率的にできるとともに、測定データの信頼性を向上できる、ノギスの測定技術向上のための技術教育に使用するノギス測定力練習機を提供する。【解決手段】有底筒状の穴を有するボデイ１の側部に穴の軸方向に沿って指示ピン窓３が設けられ、穴の奥底部に圧縮ばね７を配置し、穴の圧縮ばねの反奥底部側に測定軸４を摺動可能に挿入し、測定軸には指示ピン窓を通し指示ピン５が取り付けられていて、指示ピン窓に沿って測定力数値２が表示されている。測定軸の先端部とボデイの反測定軸側にノギスのジョウで測定力を加える。すると測定力に正比例した測定力数値の位置に指示ピンが移動することで測定力を数値で知ることができる。【選択図】図１
0003210569.tif 000002
【実用新案登録請求の範囲】
【請求項１】
有底筒状の穴を有するボデイの側部に前記有底筒状の穴の軸方向に沿って指示ピン窓が設けられ、前記有底筒状の穴の奥底部に圧縮ばねを配置し、前記有底筒状の穴の前記圧縮ばねの反奥底部側に測定軸を摺動可能に挿入し、前記測定軸には前記指示ピン窓から突出するように指示ピンが取り付けられていて、前記ボディには前記指示ピン窓に沿って測定力数値が表示されていることを特徴とするノギスの測定力練習器。
【考案の詳細な説明】
【技術分野】
【０００１】本考案は、ノギスの測定技術を向上するための技術教育に使用する練習器に関する。
【背景技術】
【０００２】  ノギスの発明は１７世紀であり、その後多くの人に使用され改善されて最近では測定精度も向上し、デジタル化も進んできており、合理的で効率的なトレーニングが必要な時代になってきた。ノギスの進歩に合わせたトレーニングの必要性が高まっている。  また、国際化に対応するために計量法にトレーサビリティを取り入れたＪＣＳＳ制度が普及し、モノ作りや製品試験所などでは測定教育を行い測定データの信頼性向上が必要になっている。
【考案の概要】
【考案が解決しようとする課題】
【０００３】  ところが、ノギスの測定講習会で測定力について多く質問が出るが、その答えが講師の経験的な説明で合理的でないという欠点がある。この欠点を解消するための練習器が望まれているが適切なものがなかった。
【課題を解決するための手段】
【０００４】本考案は、上記の課題を解決するためになされたもので、請求項１に記載のノギスの測定力練習器は、有底筒状の穴を有するボデイの側部に前記有底筒状の穴の軸方向に沿って指示ピン窓が設けられ、前記有底筒状の穴の奥底部に圧縮ばねを配置し、前記有底筒状の穴の前記圧縮ばねの反奥底部側に測定軸を摺動可能に挿入し、前記測定軸には前記指示ピン窓から突出するように指示ピンが取り付けられていて、前記ボディには前記指示ピン窓に沿って測定力数値が表示されていることを特徴とする。
【考案の効果】
【０００５】本考案の効果は次の点である。１．ノギスの測定力の合理的な指導が効率的にできるようにする。２．測定データの信頼性向上ができる。
【図面の簡単な説明】
【０００６】
【図１】本考案の正面図である。
【図２】本考案の断面図
【図３】使用状態を示す図
【考案を実施するための形態】
【０００７】  本考案を実施するための形態を説明する。  図１のボディ１に直径約８ｍｍ深さ５０ｍｍの有底筒状の穴１１が設けられている。該有底筒状の穴１１の奥底部に圧縮ばね７を配置し、該圧縮ばねの反奥底部側に測定軸４が摺動可能に挿入してある。測定軸４は約直径７．８ｍｍ長さ４５ｍｍの棒である。前記測定軸４には圧縮ばね７側から約５ｍｍの位置に指示ピン５が指示ピン窓３から突出するように取り付けてある。前記ボディには前記指示ピン窓３に沿って測定力数値２にとして０１２が表示されている。次に本考案のノギスの測定力練習器の使用方法を説明する。先ず、ノギスの測定力練習器１０の測定軸４の先端部とボデイ１の反測定軸側にノギス９のジョウで測定力を加える。すると測定力に正比例した測定力数値２の位置に指示ピンが移動することで測定力を数値で知ることができる。
【産業上の利用可能性】
【００８】  ノギスの利用範囲は非常に広いので多くの測定研修会や測定の社内研修会などで利用される。
【符号の説明】
【００９】１ボディ  ２測定力数値  ３指示ピン窓  ４測定軸  ５指示ピン  ６有底筒状の穴  ７圧縮ばね  ９ノギス  １０ノギスの測定力練習器
【図１】
0003210569.tif 000003
【図２】
0003210569.tif 000004
【図３】
0003210569.tif 000005
(57)【要約】      （修正有）【課題】開封用の紙テープが内面に折りたたまれ、見栄えよく結束することができる結束シール装置を提供する。【解決手段】結束後の粘着テープ残余両端部分に開封用の紙テープを掛け渡し状に貼り付け、粘着テープ両端部分が互いに接合しないように、非接合部を設けた結束シール装置において、該非結束部が弾性部材３、４によって付勢されて係合する二つの押圧部材１、２の間を通ることにより、該非接合部がしごかれ、開封用の紙テープが内面に折りたたまれる。【選択図】図１
0003210506.tif 000002
【実用新案登録請求の範囲】
【請求項１】
結束後の粘着テープ残余両端部分に開封用の紙テープを掛け渡し状に貼り付け、粘着テープ両端部分が互いに接合しないように、非接合部を設けた結束シール装置において、該非結束部が弾性部材によって付勢されて係合する二つの押圧部材の間を通ることにより、該非接合部がしごかれ、開封用の紙テープが内面に折りたたまれる結束シール装置。
【考案の詳細な説明】
【技術分野】
【０００１】
本考案は結束シール装置に関するもので、例えばプラスチック袋の袋口や複数の棒状製品等の被シール体を粘着テープによって束ね締め状態にシールする結束シール装置に関するものである。
【背景技術】
【０００２】
従来、この種の結束シール装置として、粘着テープのロール体を回転可能に保持する保持部と、被シール体を案内誘導する誘導路と、上記ロール体から引き出された粘着テープを誘導路内へ誘導すると共に被シール体に粘着テープを包囲させるための凹所を有するテープ供給手段と、上記誘導路におけるテープ供給手段の後方側の下方に位置して誘導路内に出没可能に突出するテープカッターとを有する結束シール装置が知られている。
【０００３】
また、結束後の粘着テープ残余両端部分に開封用の紙テープを掛け渡し状に貼り付け、粘着テープ両端部分が互いに接合しないように、非接合部を設けた結束シール装置も知られている（実開昭６２−０２２９０２）。このような結束シール装置で結束したシール袋の開封に当たっては、非接合部分をつまんで相反する方向に引いて紙テープを引きちぎることにより、容易に粘着テープを剥がし取る事ができる。しかし、紙テープのコシにより非接着部が広がり、結束部の見栄えが悪くなるという問題があった。
【先行技術文献】
【特許文献】
【０００４】
【特許文献１】実開昭６２−０２２９０２
【考案の概要】
【考案が解決しようとする課題】
【０００５】
結束後の粘着テープ残余両端部分に開封用の紙テープを掛け渡し状に貼り付け、粘着テープ両端部分が互いに接合しないように、非接合部を設けた結束シール装置は、非接合部分をつまんで相反する方向に引いて紙テープを引きちぎることにより、容易に粘着テープを剥がし取る事ができる。しかし、紙テープのコシにより非接着部が広がり、結束部の見栄えが悪くなるという問題があった。
【課題を解決するための手段】
【０００６】
本考案によれば、結束後の粘着テープ残余両端部分に開封用の紙テープを掛け渡し状に貼り付け、粘着テープ両端部分が互いに接合しないように、非接合部を設けた結束シール装置において、該非結束部が弾性部材によって付勢されて係合する二つの押圧部材の間を通ることにより、該非接合部がしごかれ、開封用の紙テープが内面に折りたたまれる。
【考案の効果】
【０００７】
本考案によれば開封用の紙テープが内面に折りたたまれ、見栄えよく結束することができる。
【図面の簡単な説明】
【０００８】
【図１】本考案の内部機構を横から見た図である。１は押圧部材Ａ、２は押圧部材Ｂ、３は弾性部材ａ、４は弾性部材ｂである。
【図２】従来の結束装置で結束したサンプルの参考写真である。
【図３】本考案による結束装置で結束したサンプルの参考写真である。
【考案を実施するための形態】
【０００９】
以下に具体例を挙げて本考案を説明するが、本考案は以下の実施例に限定されるものではない。
【００１０】
図１に示すとおり押圧部材Ａ（１）は弾性部材ａ（３）により付勢され、押圧部材Ｂ（２）は弾性部材ｂ（４）により付勢され、押圧部材Ａと押圧部材Ｂは係合している。ここでは弾性部材としてコイルバネを用いているが、たとえばゴムなどを用いてもよい。
【００１１】
開封用の紙テープを掛け渡し状に貼り付けられた被シール体は押圧部材Ａと押圧部材Ｂの間を通過する際にしごかれて、開封用の紙テープが内面に折りたたまれる。これにより結束部の見栄えが良くなる。
【産業上の利用可能性】
【００１２】
この発明はプラスチック袋の袋口や複数の棒状製品等の被シール体を粘着テープによって束ね締め状態にシールする結束シール装置に関するものである。
【符号の説明】
【００１３】
１：押圧部材Ａ
２：押圧部材Ｂ
３：弾性部材ａ
４：弾性部材ｂ
【図１】
0003210506.tif 000003
【図２】
0003210506.tif 000004
【図３】
0003210506.tif 000005
(57)【要約】      （修正有）【課題】肩にフックをつけることでショルダーストラップを引っ掛け、姿勢を変えても滑り落ちるのを防ぐことができるショルダーストラップ脱落防止フックを提供する。【解決手段】両端にフックがついたフックアームとフックアームのフックの根本部分にとりつけた輪からなる。この輪を両腕に通し、フックアームを肩に装着しフックを固定する。フックアームは金属やプラスチックの板を打ち抜いて加工する。フック部分は、ひっかけたストラップがどの方向に動いても外れないように先端が丸くハート型に開くような形状とする。フックアームの肩の部分は平とし、首の部分は平の部分に約９０度ひねりを入れ首の形に合わせる。アームを保護するため布や熱収縮チューブで覆う。フックの付け根部分に、弾力性のある布の紐で腕を通す輪をとりつけて製作完了。【選択図】図２
0003210542.tif 000002
【実用新案登録請求の範囲】
【請求項１】
軽いバックやカバンは左右どちらかの肩にかけて使用することが多い。しかし左右どちらかの肩にかけた場合、かがんで足元を直すなど姿勢が変化すると、かけたバックやカバンはすぐに滑り落ちていちいち掛けなおさなくてはならない。日常よくある片方の肩掛けに対し、左右どちらでも「ショルダーストラップ脱落防止フック」を肩に装着することで手軽、安全、快適な外出が出来る。脱落防止フックは左右にフックがついた金属またはプラスチック板を打ち抜いてフックなど加工を加える。目立たぬ色や素材の布で覆い、肩に固定出来るよう左右の腕を通す輪がついており、洋服やコートを着終えたあとに装着する。フックはバックなどのストラップがすれ違いざまに自動車等に引っかかったり、ひったくりにあったりした場合、体の転倒などを防ぐため形状が変化してストラップが外れるよう、一定以上の力が加わった場合変形するような強度にしておく。肩にかけたストラップをいちいち手で押さえて、脱落を気にすることなく両手を自由につかうことも出来る。
【考案の詳細な説明】
【技術分野】
【０００１】本考案は、バック等のショルダーストラップを頭から通してクロスに掛けることなく、片方の肩にかけた場合の脱落防止に資するもので、服飾関連分野となる。
【背景技術】
【０００２】貴重品が入っている訳ではない軽いバック等を片方の肩に掛けた場合、フックがついたフックアームを肩に沿わして装着することで、バック等のショルダーストラップがすぐに滑り落ちるのを防ぐ。
【考案の概要】
【考案が解決しようとする課題】
【０００３】これまで肩にかける工夫は主にショルダーストラップ側に施されていた。また、服飾ではトレンチコート等の肩にはボタン止めのストラップがついている。軍用のコートなどでは強度が強く、仲間が倒れた時など引っ張ることに役立った。トレンチコートのボタンタイプのストラップにショルダーストラップを掛けた場合、ひっぱられた時など転倒などの安全性に問題が残る。本考案のフックは強い力が加わった時は曲がって力を解放するような仕様として安全性を保つ。手軽に片方の肩にバック等をかけることが出来る手軽さ、安全性、おしゃれを考慮した肩掛け方法を可能にする。
本考案では、片方の肩に手軽にバック等のショルダーストラップを掛けることが可能になる。これまでこうした構造、形状のものが見られなかったのは、服飾デザインとしてなじみがなかったこと、脱落防止のフックを簡単に装着する方法が考案されなかったためと思われる。本考案では、フックを肩に固定する方法について、両腕に通す輪を利用しており、輪と肩に沿って左右に伸びるフックアーム、フックの先端を丸く開いた形状にし、フックにかけたショルダーストラップの動きに耐え、さらに重量が前側にかかる形状のためフックアームが安定して装着できるよう課題を克服している。
【考案の効果】
【０００４】上述のように、「ショルダーストラップ脱落防止フック」は安定した肩掛けを可能にし、手軽なバック等の肩掛けが出来るだけでなく、両手が解放されることで物等の運搬性が格段に向上する。
【図面の簡単な説明】
【０００５】
【図１】本考案の「ショルダーストラップ脱落防止フック」の使用例を示す正面図と背面図。
【図２】「ショルダーストラップ脱落防止フック」の構造図。
【図３】添付図面は、構造と部品を示したもの。
【考案を実施するための形態】
【０００６】「ショルダーストラップ脱落防止フック」は、外出時、色など洋服にあった色を選ぶ。次に、アームについている輪を両手に通し両腕とアームの首に沿った丸みの部分の密着性を調整する。重さはフックアームの材質が金属の場合でも２０〜３０グラムと軽く、バック等使用しないときも装着感はない。またコートの上から装着するため、コートを脱ぐ際は、コートと一体になって脱ぐことが出来る。一度装着すれば外す時以外さわる必要がない。また冬用などコートが複数ある場合は、はじめからコートの色に合わせたものを装着しておけば、外出時にそのままコートを着れば装着も完了する。
【符号の説明】
【０００７】１．フックアーム本体。真鍮やステンレス、プラスチックのフック部分は一定の力で引っ張られた時に曲がり、体に受ける力を逃がす。
２．フックアームを覆う布、または熱収縮チューブ。長さ２４．５センチ。厚み３ｍｍ程度。
３．フックアームに取り付ける輪。直径３ｍｍ程度の布紐。輪の直径１４センチ（寸法は、あくまで目安。弾力性のある布などでは当然異なる）
４．全体図。フック部分の形状は先端を丸く、根元から先端に向けハート形に広がる形状にして、ひっかけたショルダーストラップが頻繁に動いても外れにくい形状とする。金属の場合は布等で覆い加工が済んだあとで曲げてフックを形成する。プラスチックは布等で覆う前に熱で加工を済ませる。
【図１】
0003210542.tif 000003
【図２】
0003210542.tif 000004
【図３】
0003210542.tif 000005
【手続補正書】
【提出日】平成29年3月9日(2017.3.9)
【手続補正１】
【補正対象書類名】実用新案登録請求の範囲
【補正対象項目名】全文
【補正方法】変更
【補正の内容】
【実用新案登録請求の範囲】
【請求項１】
フックアームとフックアームを覆う布と、前記フックアームの両端に取り付ける輪とかなるショルダーストラップ脱落防止フックであって、前記フックアームは、その両端にフック部分を備え、肩に沿って左右に伸びる形状を有し、前記輪は、腕を挿通可能な形状を有することを特徴とするショルダーストラップ脱落防止フック。
(57)【要約】      （修正有）【課題】本来石が揺れる宝飾品で、外して平坦な箇所に置いても揺れるようにした身飾り品を提供する。【解決手段】石１を留めた枠２と枠２を取り付ける本体３とを備え、枠２の底側を球状にし、枠２を本体３に接地点を介して取り付ける事により角度を変えても石１が揺れるようにした。【選択図】図１
0003210547.tif 000002
【実用新案登録請求の範囲】
【請求項１】
本体構造上の性質により、石留めをした枠を外的要因に関与せず、揺らす事が難しい事であったが、逆に始めから枠に外的要因を与え、かつその外的要因に不安定な状況を造りだす事により揺れる、全く新しい石留めをした身飾り品。
【考案の詳細な説明】
【技術分野】
【０００１】  本考案は石を枠に止めた後に、本体に取り付ける際に、はじめから外的要因を作ることにより従来揺れる事の無かった角度でも揺れるようにしたものである。
【背景技術】
【０００２】  従来外的要因を出来るだけ排除し、揺らす構造を作成するが、逆に今回は先に外的要因を作り、摩擦を出来るだけ少なくする、不安定にする事で、今まで角度により揺れない状況を改善するために開発。
【考案の開示】
【考案が解決しようとする課題】
【０００３】基本的に揺れる部分が接地しない、狭い角度にのみ揺れる構造だった物を、初めから接地面を作成する事により、揺れる角度を解決しようとする物である。
【課題を解決するための手段】
【０００４】  石を留めた枠の底側を球状に加工し、其の球状の枠に対して最小限の摩擦ですむパーツを本体に取り付けることにより、平坦な部分に置いてしまうと揺れなかった構造を揺れるようにする事を可能にしている。
【考案の効果】
【０００５】  従来、身に着けた時にしか揺れなかった構造を、平坦な部分に置いても従来の揺れを可能にする事が出来た。
【考案を実施するための最良の形態】
【０００６】  石を留めた枠の底側を球状に加工し、其の球状の枠に対して最小限の摩擦ですむ棒状のパーツを本体中央より少し上部分に取り付ける事により、摩擦抵抗を最小限に抑え、揺れを止めてしまう外的要因の接地を可能な限り軽減している事により揺れている角度が飛躍的に向上している。
【実施例】
【０００７】  以下図面に従って説明します。１、宝石で２、は底側を球状に加工した石を留める枠。３、は本体  ４、は本体取り付けられた棒状のパーツ。
【図面の簡単な説明】
【０００８】
【図１】  本考案に関る本体の角度が平行になっても石が揺れる身飾り品の断面図の一例。
【符号の説明】
【０００９】１、  宝石
２、  底側を球状に加工した石を留める枠。
３、  本体
４、  本体に取り付けられた棒状のパーツ
【図１】
0003210547.tif 000003
【手続補正書】
【提出日】平成29年3月9日(2017.3.9)
【手続補正１】
【補正対象書類名】実用新案登録請求の範囲
【補正対象項目名】全文
【補正方法】変更
【補正の内容】
【実用新案登録請求の範囲】
【請求項１】
石を留めた枠と枠を取り付ける本体とを備え、枠の底側を球状にし、枠を本体に接地点を介して取り付ける事により角度を変えても石が揺れるようにした身飾り品。
(57)【要約】      （修正有）【課題】グランドゴルフ専用で、スコアカードをはさむ首掛け用クリップボードを提供する。【解決手段】縦長Ｂ５規格のクリップボード５上部の左端及び右端の２箇所に、連結用金具であるわん曲した針金１を取り付け、それに一本の紐の両端を連結し、その紐を首に掛けて吊り下げプレーし、併せて同伴プレーヤー全員のスコアを、クリップボード５にはさんだスコアカードに記録する。また、同伴プレーヤーがプレーの都度、スコアを直ちに記録できるよう、クリップボード５の連結用金具であるわん曲した針金１に筆記具収納用金具であるらせん状針金２をつないだ。【選択図】図１
0003210543.tif 000002
【実用新案登録請求の範囲】
【請求項１】
クリップボード上部の左端及び右端の２箇所に連結用金具（わん曲した針金）を取り付け、それに一本の紐の両端を連結し、その紐を首に掛けて吊り下げプレーし、併せて同伴プレーヤー全員のスコアを、クリップボードにはさんだスコアカードに記録する首掛け用クリップボード。
【請求項２】
同伴プレーヤーがプレーの都度、スコアに直ちに記録できるよう、クリップボードの連結用金具（わん曲した針金）に筆記具収納用金具（らせん状針金）をつないだ請求項１記載の首掛け用クリップボード。
【請求項３】
クリップボードの大きさは、プレーし易いＢ５（縦長）規格とする請求項１または請求項２記載の首掛け用クリップボード。
【考案の詳細な説明】
【技術分野】
【０００１】  この考案は、グランドゴルフ専用で、スコアカードをはさむクリップボードに関するものである。
【背景技術】
【０００２】  グランドゴルフのプレーヤーは、プレーする順番が回ってくると、持っているスコアカードをはさんだクリップボードを、同伴プレーヤーが、お互いに手渡ししてからプレーしている。
【先行技術文献】
【特許文献】
【０００３】
【特許文献１】
【非特許文献】
【０００４】
【非特許文献１】
【考案の概要】
【考案が解決しようとする課題】
【０００５】  そのために、次のような問題点があった。
スコアカードをはさんだクリップボードの受け渡しに気をとられ、プレーに集中できず、成績も今一つである。
【課題を解決するための手段】
【０００６】  同伴プレーヤーの一人が、スコアカードをはさんだクリップボードを、紐で首に掛けて吊り下げプレーし、併せて同伴プレーヤー全員のスコアを、各プレーヤーの申告に基づき記録する。
【考案の効果】
【０００７】  （１）同伴プレーヤー全員が余裕をもって、無心にゲームをスムーズに進めることができる。
（２）成績も一段と良くなっていくと思考される。
【図面の簡単な説明】
【０００８】
【図１】本考案の平面図
【図２】本考案の斜視図（右上部拡大図）
【図３】本考案の斜視図（左上部拡大図）
【考案を実施するための形態】
【０００９】  以下本考案の実施の形態について説明する。
【実施例】
【００１０】  クリップボード５上部の左端及び右端の２箇所に、連結用金具（わん曲した針金）１を取り付け、それに一本の紐の両端を連結し、その紐を首に掛けて吊り下げプレーし、併せて同伴プレーヤー全員のスコアをクリップボードにはさんだスコアカードに記録する。
なお、連結用金具（わん曲した針金）の上部分の針金を、それぞれ左右に曲げてバネ３を巻いた後、バネ部分を蓋金具で固定する。
首に掛けて吊り下げプレーしても、クリップボードのゆれは小さく、プレーし易い。
又、スコアを記録する際、吊り下げ紐は邪魔にならない。スムーズに記録できる。【００１１】  同伴プレーヤーがプレーの都度、スコアに直ちに記録できるよう、クリップボードの連結用金具（わん曲した針金）に筆記具収納用金具（らせん状針金）２をつなぐ。【００１２】  クリップボードの大きさは、プレーし易いＢ５（縦長）規格とする。
【符号の説明】
【００１３】    １  連結用金具（わん曲した針金）
２  筆記具収納用金具（らせん状針金）
３  バネ
４  クリップ構造部分
５  クリップボード（Ｂ５縦長）
【図１】
0003210543.tif 000003
【図２】
0003210543.tif 000004
【図３】
0003210543.tif 000005
【手続補正書】
【提出日】平成29年3月15日(2017.3.15)
【手続補正１】
【補正対象書類名】実用新案登録請求の範囲
【補正対象項目名】全文
【補正方法】変更
【補正の内容】
【実用新案登録請求の範囲】
【請求項１】
クリップボード上部の左端及び右端の２箇所に、連結用金具であるわん曲した針金を取り付け、それに一本の紐の両端を連結し、その紐を首に掛けて吊り下げプレーし、併せて同伴プレーヤー全員のスコアを、クリップボードにはさんだスコアカードに記録する首掛け用クリップボード。
【請求項２】
同伴プレーヤーがプレーの都度、スコアを直ちに記録できるよう、クリップボードの連結用金具であるわん曲した針金に筆記具収納用金具であるらせん状針金をつないだ請求項１記載の首掛け用クリップボード。
【請求項３】
クリップボードの大きさは、プレーし易い縦長Ｂ５規格である請求項１または請求項２記載の首掛け用クリップボード。
【手続補正２】
【補正対象書類名】明細書
【補正対象項目名】００１０
【補正方法】変更
【補正の内容】
【００１０】  クリップボード５上部の左端及び右端の２箇所に、連結用金具であるわん曲した針金１を取り付け、それに一本の紐の両端を連結し、その紐を首に掛けて吊り下げプレーし、併せて同伴プレーヤー全員のスコアをクリップボードにはさんだスコアカードに記録する。
なお、連結用金具であるわん曲した針金の上部分の針金を、それぞれ左右に曲げてバネ３を巻いた後、バネ部分を蓋金具で固定する。
首に掛けて吊り下げプレーしても、クリップボードのゆれは小さく、プレーし易い。
又、スコアを記録する際、吊り下げ紐は邪魔にならない。スムーズに記録できる。
【手続補正３】
【補正対象書類名】明細書
【補正対象項目名】００１１
【補正方法】変更
【補正の内容】
【００１１】  同伴プレーヤーがプレーの都度、スコアを直ちに記録できるよう、クリップボードの連結用金具であるわん曲した針金に筆記具収納用金具であるらせん状針金２をつなぐ。
【手続補正４】
【補正対象書類名】明細書
【補正対象項目名】００１２
【補正方法】変更
【補正の内容】
【００１２】  クリップボードの大きさは、プレーし易い縦長Ｂ５規格である。
【手続補正５】
【補正対象書類名】明細書
【補正対象項目名】００１３
【補正方法】変更
【補正の内容】
【００１３】  １  わん曲した針金
２  らせん状針金
３  バネ
４  クリップ構造部分
５  クリップボード